(57)【要約】      （修正有）【課題】接合部分に金属部分を用いない、リサイクルに適した、かつ組み立てが簡単で作業性が良い、かつ、そのまま冷凍庫に入れることが可能で、魚の加工工程に適した魚用冷凍ケースを提供する。【解決手段】長方形の底面部１を有し、前記底面部１の４辺から、開放方向に向かって広がる方向に傾斜した側面板２ａ，２ｂ，２ｃ，２ｄを有し、前記の側面板で、対向した側面板から延長された２個の封止板封止板が配置された魚用冷凍ケースであって、前記封止板が解放するように折り曲げられて、魚用冷凍ケースの内部に、魚が保管され、ついで、前記２個の封止板が折り曲げられて、魚用冷凍ケースが封じられて冷凍庫に保管されることを特徴とする魚用冷凍ケースとする。【選択図】図１
2013180795.tif 000002
【特許請求の範囲】
【請求項１】
長方形の底面部を有し、前記底面部の４辺から、開放方向に向かって広がる方向に傾斜した側面板を有し、前記の側面板で、対向した側面板から延長された２個の封止板が配置された魚用冷凍ケースであって、
前記封止板が解放するように折り曲げられて、魚用冷凍ケースの内部に、魚が保管され、
ついで、前記２個の封止板が折り曲げられて、魚用冷凍ケースが封じられて冷凍庫に保管されることを特徴とする魚用冷凍ケース。
【請求項２】
前記側面板の面方向と、前記底面部の面方向とがなす角度は、９１度  〜１３５度の範囲であることを特徴とする請求項１記載の魚用冷凍ケース。
【請求項３】
前記魚用冷凍ケースは、１枚の板から打ち抜かれた打ち抜き板から、組み立てて形成され、
接合部分には、金属材料を使用しないことを特徴とする請求項１または２記載の魚用冷凍ケース。
【請求項４】
前記打ち抜き板は、段ボールあるいは厚紙であることを特徴とする請求項３記載の魚用冷凍ケース。
【請求項５】
前記魚用冷凍ケースは、
前記魚用冷凍ケースの外形寸法より大なる外形寸法を有する金属ケースに、前記魚用冷凍ケースの全体が入れられて、冷凍庫へ投入され、
前記金属ケースは、あらかじめ冷凍庫内で冷やされていることを特徴とする請求項１乃至４のいずれか１項記載の魚用冷凍ケース。
【発明の詳細な説明】
【技術分野】
【０００１】
本発明は、生鮮魚類を冷凍し、その後の加工工程、あるいは流通させるのに好適な魚用冷凍ケースに関する。
【背景技術】
【０００２】
従来、鯖や、さんまのように一時期に集中的に収穫される生鮮魚類は、港に水揚げされた後、すぐに冷凍保存されるのが一般的である。これは、通年で鮮度よく市場に流通させるためである。この用途に用いるための生鮮魚類を収納するケースが、各種、公開されている。
【０００３】
特許文献１では、傾斜面部を有する、生鮮魚類の包装用容器について開示されている。包装用容器の材質は、樹脂であって、魚を収納し易くするため、傾斜面部が設けられた構造となっている。
【０００４】
特許文献２では、ケース本体と蓋とから構成された冷凍用ケースについて開示されている。
冷凍ケースの材質は、段ボールである。
【先行技術文献】
【特許文献】
【０００５】
【特許文献１】特開２００４−２４４０３０号公報
【特許文献２】特開２００３−１２８１４９号公報
【発明の概要】
【発明が解決しようとする課題】
【０００６】
特許文献１生鮮魚類の包装用容器は、物流、運搬用の用途が主であって、包装用容器を直接冷凍庫に投入することは、記載されていない。
また、特許文献２の冷凍用ケースは、ケース本体と蓋との２個の組み合わせであって、冷凍庫に入れた後、加工工程にて、魚を取り出すのに、蓋を開ける手間がかかるという問題点があった。
【０００７】
本発明の課題は、接合部分に金属部分を用いない、リサイクルに適した、かつ組み立てが簡単で作業性が良い、かつ、そのまま冷凍庫に入れることが可能で、魚の加工工程に適した魚用冷凍ケースを提供することである。
【課題を解決するための手段】
【０００８】
本発明の請求項１に係る魚用冷凍ケースは、長方形の底面部を有し、前記底面部の４辺から、開放方向に向かって広がる方向に傾斜した側面板を有し、前記の側面板で、対向した側面板から延長された２個の封止板が配置された魚用冷凍ケースであって、前記封止板が解放するように折り曲げられて、魚用冷凍ケースの内部に、魚が保管され、ついで、前記２個の封止板が折り曲げられて、魚用冷凍ケースが封じられて冷凍庫に保管されることを特徴とする魚用冷凍ケースである。
【０００９】
本発明の請求項２に係る魚用冷凍ケースは、前記傾斜板の面方向と、前記底面部の面方向とがなす角度は、９１度〜１３５度の範囲であることを特徴とする請求項１記載の魚用冷凍ケースである。
【００１０】
本発明の請求項３に係る魚用冷凍ケースは、前記魚用冷凍ケースは、１枚の板から打ち抜かれた打ち抜き板から、組み立てて形成され、接合部分には、金属材料を使用しないことを特徴とする請求項１または２記載の魚用冷凍ケースである。
【００１１】
ここで、打ち抜き板からの組み立てにおいて、接合部には、留め具などの金属を、一切使用しないで、樹脂系の接着剤が使用され、打ち抜き板から、本発明の魚用冷凍ケースが、組み立てられる。これによって、魚用冷凍ケース１０をリサイクルする場合に対して、金属を含まないので金属を除去する作業がなく、リサイクルに対して好ましい。
【００１２】
本発明の請求項４に係る魚用冷凍ケースは、前記打ち抜き板は、段ボールあるいは厚紙であることを特徴とする請求項３記載の魚用冷凍ケースである。
【００１３】
本発明の請求項５に係る魚用冷凍ケースは、前記魚用冷凍ケースは、前記魚用冷凍ケースの外形寸法より大なる外形寸法を有する金属ケースに、前記魚用冷凍ケースの全体が入れられて、冷凍庫へ投入され、前記金属ケースは、あらかじめ冷凍庫内で冷やされていることを特徴とする請求項１乃至４のいずれか１項記載の魚用冷凍ケースである。
【発明の効果】
【００１４】
請求項１〜４の魚用冷凍ケースによれば、接合部分に金属部分を用いない、リサイクルに適した、かつ組み立てが簡単で作業性が良い魚用冷凍ケースを提供できる。
【００１５】
請求項５の魚用冷凍ケースによれば、そのまま冷凍庫に入れることが可能で、魚の加工工程に適した魚用冷凍ケースを提供することができる。
【００１６】
本発明によれば、接合部分に金属部分を用いない、リサイクルに適した、かつ組み立てが簡単で作業性が良い、かつ、そのまま冷凍庫に入れることが可能で、魚の加工工程に適した魚用冷凍ケースを提供することができる。
【図面の簡単な説明】
【００１７】
【図１】本発明の魚用冷凍ケースで、封止板を開けた状態の斜視図。
【図２】本発明の魚用冷凍ケースで、封止板を閉めた状態の斜視図。
【図３】本発明の魚用冷凍ケースで、封止板を開けた状態で、内部に魚を入れた状態の図。
【図４】本発明の魚用冷凍ケースを組み立てる前の打ち抜き板の平面図。
【図５】本発明の魚用冷凍ケースが投入される金属ケースの斜視図。
【発明を実施するための形態】
【００１８】
本発明の魚用冷凍ケースは、長方形の底面部を有し、前記底面部の４辺から、開放方向に向かって広がる方向に傾斜した側面板を有し、前記の側面板で、対向した側面板から延長された２個の封止板が配置された魚用冷凍ケースであって、前記封止板が解放するように折り曲げられて、魚用冷凍ケースの内部に、魚が保管され、ついで、前記２個の封止板が折り曲げによって、魚用冷凍ケースが封じられて冷凍庫に保管されることを特徴とする。
【００１９】
ここで、前記側面板の面方向と、前記底面部の面方向とがなす角度は、９１度〜１３５度の範囲であることを特徴とする。また、前記魚用冷凍ケースは、１枚の板から打ち抜かれた打ち抜き板から、組み立て形成され、接合部分には、金属材料を使用しないことを特徴とする。ここで、前記打ち抜き板は、段ボールあるいは厚紙であることを特徴とする。
これによって、魚用冷凍ケース１０をリサイクルする場合に対して、金属を含まないので金属を除去する作業がなく、リサイクルに対して好ましい。
【００２０】
更に、前記魚用冷凍ケースは、前記魚用冷凍ケースの外形寸法より大なる外形寸法を有する金属ケースに、前記魚用冷凍ケースの全体が入れられて、冷凍庫へ投入される。
前記金属ケースは、あらかじめ冷やされていることを特徴とする。
【実施例】
【００２１】
図１は、本発明の魚用冷凍ケース１０で、封止板３ａ，３ｂを開けた状態の斜視図である。図２は、本発明の魚用冷凍ケース１０で、封止板３ａ，３ｂを閉めた状態の斜視図である。
【００２２】
図１にて、魚用冷凍ケース１０は、長方形の底面部１を有し、前記底面部の４辺から、開放方向に向かって広がる方向に傾斜した側面板２ａ，２ｂ，２ｃ，２ｄを有し、前記の側面板で、対向した側面板２ａ，２ｃから延長された２個の封止板３ａ，３ｂが配置された魚用冷凍ケース１０であって、前記封止板３ａ，３ｂが解放するように折り曲げられている。
【００２３】
図３は、本発明の魚用冷凍ケースで、封止板３ａ，３ｂを開けた状態で、内部に魚４を入れた状態の図である。そして、図２は、本発明の魚用冷凍ケース１０で、封止板３ａ，３ｂを閉めた状態の斜視図である。
【００２４】
魚用冷凍ケース１０の寸法は、横５６０ｍｍ、縦３００ｍｍ、高さ１２０ｍｍで、下側に向かって、傾斜を有する。
ここで、魚４として鯖を前提としており、鯖を収納するために、上記の寸法になっているが、この寸法には、限られない。他の種類の魚の場合は、寸法を変更することは可能である。
【００２５】
図４は、本発明の魚用冷凍ケース１０を組み立てる前の打ち抜き板３０の平面図である。
５１は、組み立てる場合の接合用の端部である。打ち抜き板３０の点線で示したラインを折り曲げて、図１に示す魚用冷凍ケース１０を組み立てる。
打ち抜き板の材質は、段ボールが使用されるが、これに限られない。厚紙、その他、おりまげ可能な材料であれば、使用可能である。
【００２６】
ここで、接合用の端部５１を側面板に接着し、この場合金属材料を使用しないで、樹脂系の接着剤が使用される。これによって、魚用冷凍ケース１０をリサイクルする場合に対して、金属を含まないので金属を除去する作業がなく、リサイクルに対して好ましい。
【００２７】
前記側面板２ａ，２ｂ，２ｃ，２ｄの面方向と、前記底面部１の面方向とがなす角度は、９１度  〜１３５度の範囲に設定される。
角度が９１度未満の場合には、魚を収納するのに、作業性が悪くなるという不具合があり、また、角度が１３５度を超える場合には、魚用冷凍ケース１０の容積が減少してしまい、魚の入る分量が少なくなってしまうという不具合が生じる。
【００２８】
図５は、本発明にて使用される金属ケース３０の斜視図である。金属ケース３０の材質は、ブリキ板が一般に用いられ、あらかじめ冷凍庫に保管されて、冷やされている。
前記魚用冷凍ケースは、前記魚用冷凍ケースの外形寸法より大なる外形寸法を有する。
図３に示すように、魚を入れた魚用冷凍ケースの封止板を閉めて、図２の状態の魚用冷凍ケースを金属ケース３０に、入れられて、冷凍庫へ投入される。
前記金属ケースは、あらかじめ冷やされているので、前記金属ケースと前記魚用冷凍ケースとを合体した一体物は、効率良く冷凍され、魚用冷凍ケース自体が冷凍されるまでの時間が早くなる。
【００２９】
魚用冷凍ケース１０を金属ケース３０に装着して冷凍庫に冷凍保存した後、次に、冷凍庫から魚用冷凍ケース１０を取り出し場合、前記魚用冷凍ケース１０を１８０度回転させると、封止板３ａ，３ｂが、魚の自らの重みで、自然に開き、魚が、下方向に排出され、次工程に回され、従来の魚取り出しの手作業の手間が除去できるという長所がある。
【００３０】
本発明の魚用冷凍ケースは、冷凍庫に入れて急速冷凍する場合、および流通にて出荷する場合にも、そのまま魚用冷凍ケースが使用できるという特徴を有する。
また、流通させる場合には、図２の、封止板３ａ，３ｂを上からテープなどを貼って固定する処置を施して、出荷すれば良い。
更に、本発明の魚用冷凍ケースは、接合部に、金属材料を使用しないで、樹脂系の接着剤が使用される。これによって、魚用冷凍ケース１０をリサイクルする場合に対して、金属を含まないのでリサイクル対象に該当する長所がある。
【産業上の利用可能性】
【００３１】
本発明の魚用冷凍ケースによれば、接合部分に金属部分を用いない、リサイクルに適した、かつ組み立てが簡単で作業性が良い、かつ、そのまま冷凍庫に入れて急速冷凍することが可能であり、魚処理の後工程作業が容易となり、漁業産業の発展、および流通の効率化に寄与できる。
【符号の説明】
【００３２】
１  底面部
２ａ，２ｂ，２ｃ，２ｄ  側面板
３ａ，３ｂ  封止板
４  魚
５  接合部分
５１  接合用の端部
１０  魚用冷凍ケース
２０  打ち抜き板
３０  金属ケース
【図１】
2013180795.tif 000003
【図２】
2013180795.tif 000004
【図３】
2013180795.tif 000005
【図４】
2013180795.tif 000006
【図５】
2013180795.tif 000007